(57)【特許請求の範囲】
【請求項１】
撮像ユニットと、
投影ユニットと、
前記撮像ユニットが撮像した画像データを用いて前記投影ユニットの投影光の強さおよび投影像のコントラスト調整値を演算する演算手段と、
前記投影ユニットが投影する面を投影前に前記撮像ユニットで撮像するとともに、前記演算手段が演算した投影光の強さおよびコントラスト調整値で前記投影ユニットが投影を開始するように前記撮像ユニットおよび前記投影ユニットをそれぞれ制御する制御手段とを備え、
前記演算手段は、前記画像データを用いて取得した明るさ情報が所定値を超えた場合に投影光を強めるように演算し、前記画像データを用いて取得した距離情報が所定範囲を超えた場合、および取得した距離情報が前記所定範囲未満の場合には、それぞれ投影否とすることを特徴とするプロジェクタ付きカメラ。
【請求項２】
請求項１に記載のプロジェクタ付きカメラにおいて、
前記演算手段は、前記画像データを用いて取得した明るさ情報に応じて前記コントラスト調整値を異ならせるように演算することを特徴とするプロジェクタ付きカメラ。
【請求項３】
撮像ユニットと、
投影ユニットと、
前記撮像ユニットが撮像した画像データを用いて前記投影ユニットの投影光の強さおよび投影像のコントラスト調整値を演算する演算手段と、
前記投影ユニットが投影する面を投影前に前記撮像ユニットで撮像するとともに、前記演算手段が演算した投影光の強さおよびコントラスト調整値で前記投影ユニットが投影を開始するように前記撮像ユニットおよび前記投影ユニットをそれぞれ制御する制御手段と、
前記演算手段によって前記投影ユニットによる上限を超える投影光の強さが必要と演算された場合、これを知らせる報知手段とを備え、
前記報知手段は液晶表示部材で構成され、前記画像データを用いて取得した明るさ情報に応じて表示輝度が制御されることを特徴とするプロジェクタ付きカメラ。
【請求項４】
請求項３に記載のプロジェクタ付きカメラにおいて、
前記報知手段はさらに、前記画像データを用いて取得した距離情報が所定範囲を超えた場合および取得した距離情報が前記所定範囲未満の場合には、それぞれを知らせることを特徴とするプロジェクタ付きカメラ。
【請求項５】
請求項３または４に記載のプロジェクタ付きカメラにおいて、
前記液晶表示部材は、最小表示輝度を基準として、前記明るさ情報が明るいほど表示輝度が高められることを特徴とするプロジェクタ付きカメラ。
【発明の詳細な説明】
【技術分野】
【０００１】
本発明は、プロジェクタ付きカメラに関する。
【背景技術】
【０００２】
プロジェクタ周囲の光量を検出し、検出信号に応じて光源用ランプを調光して明るさ調整を行うプロジェクタが知られている（特許文献１参照）。また、プロジェクタから投影したパターンを撮像した画像データを用いて、撮影用の測距を行う技術が知られている（特許文献２）。
【０００３】
【特許文献１】特開２０００−１３１６６８号公報
【特許文献２】特開２００６−９１０９１号公報
【発明の開示】
【発明が解決しようとする課題】
【０００４】
従来技術では、投影中に得た情報を用いて投影を制御するので、投影前に行うことが困難という問題があった。
【課題を解決するための手段】
【０００５】
（１）請求項１に記載のプロジェクタ付きカメラは、撮像ユニットと、投影ユニットと、撮像ユニットが撮像した画像データを用いて投影ユニットの投影光の強さおよび投影像のコントラスト調整値を演算する演算手段と、投影ユニットが投影する面を投影前に撮像ユニットで撮像するとともに、演算手段が演算した投影光の強さおよびコントラスト調整値で投影ユニットが投影を開始するように撮像ユニットおよび投影ユニットをそれぞれ制御する制御手段とを備え、演算手段は、画像データを用いて取得した明るさ情報が所定値を超えた場合に投影光を強めるように演算し、画像データを用いて取得した距離情報が所定範囲を超えた場合、および取得した距離情報が所定範囲未満の場合には、それぞれ投影否とすることを特徴とする。
（２）請求項３に記載のプロジェクタ付きカメラは、撮像ユニットと、投影ユニットと、撮像ユニットが撮像した画像データを用いて投影ユニットの投影光の強さおよび投影像のコントラスト調整値を演算する演算手段と、投影ユニットが投影する面を投影前に撮像ユニットで撮像するとともに、演算手段が演算した投影光の強さおよびコントラスト調整値で投影ユニットが投影を開始するように撮像ユニットおよび投影ユニットをそれぞれ制御する制御手段と、演算手段によって投影ユニットによる上限を超える投影光の強さが必要と演算された場合、これを知らせる報知手段とを備え、報知手段は液晶表示部材で構成され、画像データを用いて取得した明るさ情報に応じて表示輝度が制御されることを特徴とする。
【発明の効果】
【０００６】
本発明によるプロジェクタ付きカメラでは、投影前に取得した情報を用いて適切に投影制御できる。
【発明を実施するための最良の形態】
【０００７】
以下、図面を参照して本発明を実施するための最良の形態について説明する。図１は、本発明の一実施の形態によるプロジェクタ付き電子カメラ１０の正面図である。図１において、電子カメラ１０の前面には、撮影レンズ７１と、プロジェクタの投影レンズ６１と、フラッシュ光源部２１とが配設されている。電子カメラ１０の上面には、ズームスイッチ１１と、レリーズボタン１２と、プロジェクタボタン１４とが配設されている。レリーズボタン１２は、電子カメラ１０に撮影を指示するための操作部材である。ズームスイッチ１１は、電子カメラ１０にズームダウンまたはズームアップを指示するための操作部材である。プロジェクタボタン１４は、電子カメラ１０に投影モードへの切替、および投影モードにおける投影オン／オフを指示するための操作部材である。
【０００８】
図２は、図１の電子カメラの背面図である。図２において、電子カメラ１０の背面には、液晶モニタ１０８と、切替ボタン１５と、モードボタン１６と、メニューボタン１７と、削除ボタン１８と、ＯＫボタン２０およびダイヤル１９とが設けられている。リング状に構成されたダイヤル１９は、回転操作に応じた回転操作信号と、押下操作に応じた押下位置信号とを発生する。ＯＫボタン２０の配設位置はダイヤル１９の中央部である。ダイヤル１９およびＯＫボタン２０は、電子カメラ１０に各種設定を指示するための操作部材である。
【０００９】
切替ボタン１５は、撮影を行う撮影モードと、撮影画像の再生表示を行う再生モードとの切替を電子カメラ１０に指示するための操作部材である。モードボタン１６は、モード選択画面を液晶モニタ１０８に表示させるための操作部材である。メニューボタン１７は、メニュー選択画面を液晶モニタ１０８に表示させるための操作部材である。削除ボタン１８は、電子カメラ１０に画像ファイルの削除を指示するための操作部材である。
【００１０】
図３は、図１の電子カメラ１０の回路構成を説明するブロック図である。図３において、電子カメラ１０は、ＣＰＵ１０１と、メモリ１０２と、マイク１０５と、外部インターフェイス回路１０６と、電源回路１０７と、液晶モニタ１０８と、操作部材１０９と、スピーカー１１０と、プロジェクタモジュール６０と、カメラモジュール７０とを備え、着脱自在のバッテリー１０３およびメモリカード１０４が実装されている。
【００１１】
プロジェクタモジュール６０およびカメラモジュール７０は、図１に示すように、投影光学系（投影レンズ６１）と撮影光学系（撮影レンズ７１）の開口とが共通の面に配設されている。
【００１２】
ＣＰＵ１０１は、制御プログラムに基づいて、電子カメラ１０を構成する各部から入力される信号を用いて所定の演算を行うなどして、電子カメラ１０の各部に対する制御信号を送出することにより、カメラ動作およびプロジェクタ動作をそれぞれ制御する。なお、制御プログラムは、ＣＰＵ１０１内の不図示の不揮発性メモリに格納されている。
【００１３】
メモリ１０２はＣＰＵ１０１の作業用メモリとして使用される。メモリカード１０４は不揮発性メモリによって構成される。メモリカード１０４は、ＣＰＵ１０１の指示により、たとえば、カメラモジュール７０から出力される画像データや、外部インターフェイス回路１０６を介して外部機器から入力される映像・音声データなどのデータの書き込み、保存および読み出しが可能である。
【００１４】
マイク１０５は、集音した音声を電気信号に変換してＣＰＵ１０１へ送出する。音声信号は、録音時にメモリカード１０４に記録される。外部インターフェイス回路１０６は、ＣＰＵ１０１の指示により不図示のクレードル、もしくはクレードルに接続されている外部機器との間でデータを送受信する。送受信するデータは、映像・音声データや、電子カメラ１０に対する制御信号である。外部インターフェイス回路１０６には、電源ラインも含まれている。
【００１５】
スピーカー１１０は、ＣＰＵ１０１から出力された音声信号による音声を再生する。操作部材１０９は、上述した操作ボタンなどを含み、各操作ボタンに対応する操作信号をＣＰＵ１０１へ送出する。
【００１６】
バッテリー１０３は充電可能な二次電池によって構成される。電源回路１０７はＤＣ／ＤＣ変換回路、充電回路、および電圧検出回路を含み、バッテリー１０３の電圧を電子カメラ１０内の各部で必要な電圧に変換する。電源回路１０７はさらに、バッテリー１０３の電圧が低く、残容量が低下している場合には外部インターフェイス回路１０６を介して供給される充電用電流でバッテリー１０３を充電する。
【００１７】
液晶モニタ１０８は、ＣＰＵ１０１の指示により画像やテキストなどの情報を表示する。フラッシュ光源部２１は、撮影モード時にＣＰＵ１０１からの指示に応じて所定光量の光を発する。
【００１８】
（カメラモジュール）
カメラモジュール７０は、撮影レンズ（撮影光学系）７１と、イメージセンサ７２と、レンズ駆動回路７３と、撮影制御回路７４とを含む。イメージセンサ７２には、ＣＣＤやＣＭＯＳ撮像素子などが用いられる。撮影制御回路７４は、ＣＰＵ１０１からの指示によりイメージセンサ７２およびレンズ駆動回路７３を駆動制御するとともに、イメージセンサ７２から出力される撮像信号（蓄積電荷信号）に対して所定の画像処理を行う。画像処理は、ホワイトバランス処理やガンマ処理などである。
【００１９】
撮影レンズ７１は、イメージセンサ７２の撮像面上に被写体像を結像させる。撮影制御回路７４は、撮影開始指示に応じてイメージセンサ７２に撮像を開始させ、撮像終了後にイメージセンサ７２から蓄積電荷信号を読出し、上記画像処理を施した上で画像データとしてＣＰＵ１０１へ送出する。
【００２０】
レンズ駆動回路７３は、撮影制御回路７４から出力されるフォーカス調節信号に基づいて、撮影レンズ７１を構成するフォーカスレンズ（不図示）を光軸方向に進退駆動する。また、レンズ駆動回路７３は、撮影制御回路７４から出力されるズーム調節信号に基づいて、撮影レンズ７１を構成するズームレンズ（不図示）を光軸方向（テレ側もしくはワイド側）へ進退駆動する。フォーカス調節量およびズーム調節量は、ＣＰＵ１０１から撮影制御回路７４へ指示される。
【００２１】
（プロジェクタモジュール）
プロジェクタモジュール６０は、投影レンズ（投影光学系）６１と、液晶パネル６２と、ＬＥＤ光源６３と、投射制御回路６４と、レンズ駆動回路６５とを含む。投射制御回路６４は、ＣＰＵ１０１から出力される投影指示に応じてＬＥＤ光源６３に駆動電流を供給する。ＬＥＤ光源６３は、供給された電流に応じた明るさで液晶パネル６２を照明する。
【００２２】
投射制御回路６４はさらに、ＣＰＵ１０１から送出される画像データに応じて液晶パネル駆動信号を生成し、生成した駆動信号で液晶パネル６２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源６３からの光を変調することにより、液晶パネル６２が光像を生成する。投影レンズ６１は、液晶パネル６２から射出される光像をスクリーンなどへ向けて投射する。
【００２３】
レンズ駆動回路６５は、投射制御回路６４から出力されるフォーカス調節信号に基づいて、投影レンズ６１を構成するフォーカスレンズ（不図示）を光軸方向へ進退駆動する。レンズ駆動回路６５はさらに、投射制御回路６４から出力されるズーム調節信号に基づいて、投影レンズ６１を構成するズームレンズ（不図示）を光軸方向へ進退駆動する。フォーカス調節量およびズーム調節量は、ＣＰＵ１０１から投射制御回路６４へ指示される。
【００２４】
（投影ソース：source）
プロジェクタモジュール６０は、再生モード時に、ＣＰＵ１０１の指示により下記ソース１．またはソース２．のいずれかによるコンテンツを投影および再生する。ＣＰＵ１０１は、操作部材１０９からソース切替え操作信号が入力されるごとに、投影画像をソース１．→２．→１．…の順に切替えるように、各画像に対応する画像データをプロジェクタモジュール６０へ送出する。
【００２５】
ソース１．メモリカード１０４から読出したデータによる再生画像
ソース２．外部インターフェイス回路１０６から入力されたデータによる再生画像
【００２６】
ＣＰＵ１０１は、上記ソース１．に対応する画像を投影する場合、記録日時が最も新しい（記録されている画像データの中で最後に撮影されたもの）画像データをメモリカード１０４から順に読出し、読出した画像データをプロジェクタモジュール６０へ送出する。また、上記コンテンツのデータとしてテキストデータが選択された場合は、テキスト画面を投影するためのデータをプロジェクタモジュール６０へ送出する。
【００２７】
（投影モードのメイン処理）
本実施形態は、投影モード時に行う動作に特徴を有するので、以下はこの点を中心に説明する。図４は、ＣＰＵ１０１が行う処理の流れを説明するフローチャートである。ＣＰＵ１０１は、撮影モード時または再生モード時に操作部材を構成するプロジェクタボタン１４から操作信号が入力されると、プロジェクタモジュール６０を起動させるとともに、図４の処理を行うプログラムを起動する。ユーザーは、電子カメラ１０の投影レンズ６１をスクリーン側へ向けて電子カメラ１０を机上などに載置する。
【００２８】
図４のステップＳ１１において、ＣＰＵ１０１は、カメラモジュール７０に投影地点までの距離を算出させてステップＳ１２へ進む。具体的には、撮影制御回路７４へ指示を送り、スクリーン（不図示）を被写体として、たとえばコントラスト検出方式のオートフォーカス（ＡＦ）調節を行わせる。撮影制御回路７４は、たとえばスクリーンの縁、枠などに対応する画像データからコントラスト情報を得る。イメージセンサ７２で撮像された画像データの高周波数成分の積算値（いわゆる焦点評価値）を最大にするフォーカスレンズの位置（被写体像のエッジのボケをなくし、画像のコントラストを最大にする合焦位置）は、電子カメラ１０からスクリーンまでの被写体距離に対応する。ＣＰＵ１０１は、スクリーンを照明する環境光が少なくて焦点評価値演算が行えない場合には、フラッシュ光源部２１をＡＦ補助光として発光させる。
【００２９】
ステップＳ１２において、ＣＰＵ１０１は、フラッシュ光源部２１を発光させない状態で、撮像素子７２で撮像された画像データから光量情報および色情報を取得する。具体的には、画像データのうちスクリーン（不図示）に対応するデータ値から当該スクリーンの明るさ（光量情報）を算出し、画素データのＲＧＢ比率から当該スクリーン上における色情報を取得する。なお、撮像素子７２には画素位置に対応してＲ、Ｇ、Ｂいずれかの色フィルタが設けられており、各画素からＲＧＢいずれかの色成分データが得られるように構成されている。スクリーンの明るさおよび色情報は、スクリーンを照明する環境光によって異なる。
【００３０】
ステップＳ１３において、ＣＰＵ１０１は、取得した明るさ情報および色情報に基づいて投影条件を算出する。ＣＰＵ１０１は明るさを五段階に分類し、以下のように投影条件を決める。
［１］明るさが第１所定値を超える場合、投影否を決定する。ＬＥＤ光源６３を最大光量で発光させてもスクリーン上にユーザーが観察可能な投影像を得られないからである。
【００３１】
［２］明るさが第２所定値を超え、かつ第１所定値以下の場合、ＬＥＤ光源６３の発光量を最大に、液晶パネル６２を駆動する際のコントラストを通常時より強調するように投影条件を決める。
【００３２】
［３］明るさが第３所定値を超え、かつ第２所定値以下の場合、ＬＥＤ光源６３の発光量を最大に、液晶パネル６２を駆動する際のコントラストを通常設定にするように投影条件を決める。
【００３３】
［４］明るさが第４所定値を超え、かつ第３所定値以下の場合、ＬＥＤ光源６３の発光量を所定量絞り（たとえば最大光量の半分の強さ）、液晶パネル６２を駆動する際のコントラストを通常時より強調するように投影条件を決める。
【００３４】
［５］明るさが第５所定値を超え、かつ第４所定値以下の場合、ＬＥＤ光源６３の発光量を所定量絞り（たとえば最大光量の半分の強さ）、液晶パネル６２を駆動する際のコントラストを通常設定にするように投影条件を決める。
【００３５】
ＣＰＵ１０１はさらに、上記［２］〜［５］の場合には、ステップＳ１２で取得した色情報に応じて液晶パネル６２を駆動する際の色バランスを補正する。具体的には、取得した色情報が赤みがかっている（Ｒ成分が強い）場合には、液晶パネル６２を駆動する際のＲ成分信号を弱くする。また、取得した色情報が青みがかっている（Ｂ成分が強い）場合には、液晶パネル６２を駆動する際のＢ成分信号を弱くする。なお、色成分信号を弱める補正に加えて、他の色成分を強く補正しても構わない。
【００３６】
ステップＳ１４において、ＣＰＵ１０１は、距離および明るさが許容範囲か否かを判定する。ＣＰＵ１０１は、ステップＳ１１で取得した距離が所定の距離範囲（たとえば０．５m〜３m）内であって、ステップＳ１３で決定した投影条件が［２］〜［５］のいずれかに該当する場合、ステップＳ１４を肯定判定してステップＳ１５へ進む。ステップＳ１５へ進む場合は投影を許可する場合である。
【００３７】
ＣＰＵ１０１は、ステップＳ１１で取得した距離が所定の距離範囲（たとえば０．５m〜３m）外の場合、またはステップＳ１３で決定した投影条件が［１］に該当する場合には、ステップＳ１４を否定判定してステップＳ２１へ進む。ステップＳ２１へ進む場合は投影を許可しない場合である。
【００３８】
ステップＳ１５において、ＣＰＵ１０１は、プロジェクタモジュール６０のフォーカス調節を行わせてステップＳ１６へ進む。具体的には、投射制御回路６４へステップＳ１１で取得した距離情報とともにフォーカス調整指示を送り、スクリーン上で投射像のピントが合うように投影レンズ６１を駆動させる。なお、距離情報とフォーカスレンズ（不図示）の駆動量との関係は、あらかじめ投射制御回路６４内のメモリ（不図示）に格納されている。
【００３９】
ステップＳ１６において、ＣＰＵ１０１は投影オン操作されたか否かを判定する。ＣＰＵ１０１は、投影モード時に操作部材を構成するプロジェクタボタン１４から操作信号を受けると、ステップＳ１６を肯定判定してステップＳ１７へ進む。ＣＰＵ１０１は、プロジェクタボタン１４から操作信号を受けない場合には、ステップＳ１６を否定判定してステップＳ２３へ進む。
【００４０】
ステップＳ１７において、ＣＰＵ１０１はステップＳ１３で決定した投影条件とともに投影開始指示を投射制御回路６４へ送り、プロジェクタモジュール６０の投影を開始させてステップＳ１８へ進む。これにより、プロジェクタモジュール６０が上記投影条件で投影を行う。ステップＳ１８において、ＣＰＵ１０１は投影オフ操作されたか否かを判定する。ＣＰＵ１０１は、投影中に操作部材を構成するプロジェクタボタン１４から操作信号を受けると、ステップＳ１８を肯定判定してステップＳ１９へ進む。ＣＰＵ１０１は、プロジェクタボタン１４から操作信号を受けない場合には、ステップＳ１８を否定判定して当該判定処理を繰り返す。
【００４１】
ステップＳ１９において、ＣＰＵ１０１は投射制御回路６４へ投影停止指示を送り、プロジェクタモジュール６０の投影を停止させてステップＳ２３へ進む。
【００４２】
ステップＳ１４を否定判定して進むステップＳ２１において、ＣＰＵ１０１は、液晶モニタ１０８の表示輝度を算出するとともに、算出した表示輝度を液晶モニタ１０８へ設定してステップＳ２２へ進む。具体的には、ステップＳ１２で取得した明るさ情報を用いて、ユーザーがその明るさの下で表示内容を視認できるように表示輝度を決定する。液晶モニタ１０８の表示輝度は、通常は最も暗い状態に絞っておき、取得された明るさ情報に応じて表示輝度を明るくするように制御する。なお、明るさ情報と、その明るさに適した液晶モニタ１０８の表示輝度との関係は、あらかじめＣＰＵ１０１内のメモリ（不図示）に格納されている。
【００４３】
ステップＳ２２において、ＣＰＵ１０１はＬＣＤ表示処理を行ってステップＳ２３へ進む。ＬＣＤ表示処理の詳細については後述する。ステップＳ２３において、ＣＰＵ１０１はモード変更操作されたか否かを判定する。ＣＰＵ１０１は、切替ボタン１５からの操作信号が入力された場合にステップＳ２３を肯定判定し、図４による処理を終了する。ＣＰＵ１０１は、切替ボタン１５からの操作信号が入力されない場合にはステップＳ２３を否定判定してステップＳ１１へ戻る。ステップＳ１１へ戻る場合は上述した処理を繰り返す。
【００４４】
（ＬＣＤ表示処理）
ＬＣＤ表示処理の詳細について、図５のフローチャートを参照して説明する。図５のステップＳ２２１において、ＣＰＵ１０１はプロジェクタモジュール６０の投影光の強さ（ＬＥＤ光源６３の発光量）が限界か否かを判定する。ＣＰＵ１０１は、図４のステップＳ１３において上記［１］を決定した場合、ステップＳ２２１を肯定判定してステップＳ２２２へ進む。
【００４５】
ＣＰＵ１０１は、図４のステップＳ１３において上記［２］〜［５］のいずれかを決定した場合、ステップＳ２２１を否定判定してステップＳ２２３へ進む。ステップＳ２２２において、ＣＰＵ１０１は液晶モニタ１０８へ指示を送り、メッセージ「明るすぎます」を表示させて図５による処理を終了する。
【００４６】
ステップＳ２２３において、ＣＰＵ１０１はスクリーンが遠すぎるか否かを判定する。ＣＰＵ１０１は、ステップＳ１１で得た距離が上述した距離範囲の上限（３m）より遠い場合、ステップＳ２２３を肯定判定してステップＳ２２４へ進む。ＣＰＵ１０１は、ステップＳ１１で得た距離が上述した距離範囲の上限より遠くない場合、ステップＳ２２３を否定判定してステップＳ２２５へ進む。ステップＳ２２４において、ＣＰＵ１０１は液晶モニタ１０８へ指示を送り、メッセージ「遠すぎます」を表示させて図５による処理を終了する。
【００４７】
ステップＳ２２５において、ＣＰＵ１０１はスクリーンが近すぎるか否かを判定する。ＣＰＵ１０１は、ステップＳ１１で得た距離が上述した距離範囲の下限（０．５m）より近い場合、ステップＳ２２５を肯定判定してステップＳ２２６へ進む。ＣＰＵ１０１は、ステップＳ１１で得た距離が上述した距離範囲の下限より近くない場合、ステップＳ２２５を否定判定して図５による処理を終了する。ステップＳ２２６において、ＣＰＵ１０１は液晶モニタ１０８へ指示を送り、メッセージ「近すぎます」を表示させて図５による処理を終了する。
【００４８】
以上説明した実施形態によれば、次の作用効果が得られる。
（１）プロジェクタモジュール６０から投影を始める前にカメラモジュール７０でスクリーンを含めて撮像し、取得した画像データを用いて投影条件（ＬＥＤ光源６３の発光量、コントラスト調整値）を演算する。プロジェクタモジュール６０から投影を始める際、演算により決定した発光量でＬＥＤ光源６３を発光させ、決定したコントラスト調整値を用いて液晶パネル６２を駆動するようにしたので、投影当初から適切に投影制御できる。
【００４９】
（２）取得した画像データから投影面（スクリーン）の明るさ情報を得て、明るさ情報が所定値を超えている場合に投影光を強める（発光量を高める）ようにしたので、環境光による投影面の明るさが異なっても適切な投影光量で投影を始めることができる。
【００５０】
（３）取得した画像データから投影面までの距離情報を得て、距離が所定の範囲より長い場合、距離が所定の範囲より短い場合にはそれぞれプロジェクタモジュール６０の投影否としたので、投影に適さない状態で無駄な投影を行うことを回避できる。
【００５１】
（４）上述した距離が所定の範囲より長い場合、および距離が所定の範囲より短い場合には、それぞれ「遠すぎます」、「近すぎます」というメッセージを液晶モニタ１０８に表示させたので、投影否の理由をユーザーに知らせることができる。
【００５２】
（５）ＬＥＤ光源６３の最大発光量を超える強さの投影光が必要であることが演算された場合、プロジェクタモジュール６０の投影否とし、「明るすぎます」というメッセージを液晶モニタ１０８に表示させたので、投影に適さない状態で無駄な投影を行うことを回避できる上に、投影否の理由をユーザーに知らせることができる。
【００５３】
（６）取得した画像データから投影面（スクリーン）の明るさ情報を得て、明るさ情報に応じて液晶モニタ１０８の表示輝度を制御したので、適切な発光輝度で投影否の理由をユーザーに知らせることができる。
【００５４】
（７）最小発光輝度を基準として、明るさ情報が明るい場合に表示輝度を高めるので、最大発光輝度を基準とする場合に比べて消費電力を低減できる。
【００５５】
（変形例）
以上の説明では、明るさ情報について撮像素子７２で撮像された画像データから取得する例を説明したが、撮像素子７２と異なる測光センサからの検出信号を用いて明るさ情報を取得するように構成してもよい。
【００５６】
以上の説明はあくまで一例であり、上記の実施形態の構成に何ら限定されるものではない。
【図面の簡単な説明】
【００５７】
【図１】本発明の一実施の形態によるプロジェクタ付き電子カメラの正面図である。
【図２】図１の電子カメラの背面図である。
【図３】図１の電子カメラの回路構成を説明するブロック図である。
【図４】ＣＰＵが行う処理の流れを説明するフローチャートである。
【図５】ＬＣＤ表示処理の詳細を説明するフローチャートである。
【符号の説明】
【００５８】
１０…プロジェクタ付き電子カメラ
６０…プロジェクタモジュール
７０…カメラモジュール
１０１…ＣＰＵ
１０８…液晶モニタ
【図１】
0005245362.tif 000002
【図２】
0005245362.tif 000003
【図３】
0005245362.tif 000004
【図４】
0005245362.tif 000005
【図５】
0005245362.tif 000006